(57)【要約】【課題】  従来と比べて格段と使い勝手を向上させるようにする。【解決手段】  ネットワークＮＴに接続されているパーソナルコンピュータ４に対して携帯記録再生装置２を接続しなくても、充電台３を用いることによりＣＤから携帯記録再生装置２のハードディスクドライブ２５に対して楽曲データをダビングすることができるので、従来よりも格段と使い勝手を向上させることができる。また、携帯記録再生装置２がパーソナルコンピュータ４に接続された際には、当該ダビングされた楽曲データのタイトル情報が自動的に入力されるので、ユーザは当該ダビングした楽曲データのタイトル情報を、操作部２８等を介していちいち入力しなくて良く、かくして一段と使い勝手を向上させることができる。【選択図】          図１
2006053958.tif 000002
【特許請求の範囲】
【請求項１】
コンパクトディスクに記録される楽曲データと、上記コンパクトディスクの識別情報とを受信する受信手段と、
上記受信手段により受信した上記楽曲データ及び上記識別情報を対応付けて記録媒体に記録する記録手段と、
上記楽曲データに対応付けられてタイトル情報が上記記録媒体に記録されている場合、当該タイトル情報を表示する表示手段と、
上記表示手段により表示された上記タイトル情報を選択する選択手段と、
上記選択手段により選択された上記タイトル情報に対応する上記楽曲データを再生処理する再生手段と、
外部機器とデータ通信する通信手段と、
上記通信手段を介して上記外部機器との接続を判別する判別手段と、
上記判別手段により、上記通信手段を介した上記外部機器との接続が判別されると、上記記録媒体に記録される上記識別情報を上記外部機器に対して送出するように上記通信手段を制御する制御手段と
を具え、
上記記録手段は、上記通信手段を介して受信された上記識別情報に対応する上記タイトル情報を、上記楽曲データと対応付けて上記記録媒体に記録する
ことを特徴とする記録再生装置。
【請求項２】
上記制御手段は、上記記録手段が上記タイトル情報を上記楽曲データと対応付けて上記記録媒体に記録した後に、上記識別情報を上記記録媒体から消去する
ことを特徴とする請求項１に記載の記録再生装置。
【請求項３】
上記制御手段は、上記記録手段が上記タイトル情報を上記楽曲データと対応付けて上記記録媒体に記録した後に、上記識別情報に対応するフラグを、当該識別情報は使用済であることを示す状態に更新する
ことを特徴とする請求項１に記載の記録再生装置。
【請求項４】
上記コンパクトディスクから読み出されたＴＯＣ（Table Of Contents）情報に基づいて当該コンパクトディスクの上記識別情報を生成する識別情報生成手段
を具えることを特徴とする請求項１に記載の記録再生装置。
【請求項５】
上記外部機器は、上記識別情報と上記タイトル情報とを対応付けて記憶しているサーバにネットワーク接続されるコンピュータである
ことを特徴とする請求項１に記載の記録再生装置。
【請求項６】
上記外部機器は、上記識別情報と上記タイトル情報とを対応付けて記憶しているサーバである
ことを特徴とする請求項１に記載の記録再生装置。
【請求項７】
上記楽曲データに対する上記再生処理により得られた再生信号に基づいて音楽を放音する放音手段
を具えることを特徴とする請求項１に記載の記録再生装置。
【請求項８】
外部機器とのデータ通信を行う第１の通信手段と、
コンパクトディスクの識別情報と当該コンパクトディスクに記録される楽曲データのタイトル情報とを対応付けて記憶するサーバとのデータ通信を行う第２の通信手段と、
上記第１の通信手段を介して上記外部機器と接続されたことを検出する接続検出手段と、
上記接続検出手段により上記外部機器との接続が検出された場合、上記外部機器の記録媒体に記録される上記コンパクトディスクの識別情報を上記第１の通信手段を介して受信すると共に、当該受信した識別情報を上記第２の通信手段を介して上記サーバに送出するように制御する通信制御手段と
を具え、
上記通信制御手段は、上記第２の通信手段を介して受信された上記識別情報に対応する上記タイトル情報を上記第１の通信手段を介して上記外部機器に送出するように制御する
ことを特徴とする通信装置。
【請求項９】
コンパクトディスクに記録される楽曲データと、上記コンパクトディスクの識別情報とを受信する第１のステップと、
上記第１のステップにより受信した上記楽曲データ及び上記識別情報を対応付けて記録媒体に記録する第２のステップと、
上記楽曲データに対応付けられてタイトル情報が上記記録媒体に記録されている場合、当該タイトル情報を表示する第３のステップと、
上記第３のステップにより表示された上記タイトル情報が選択された場合、当該選択された上記タイトル情報に対応する上記楽曲データを再生処理する第４のステップと、
外部機器との接続を判別する第５のステップと、
上記第５のステップにより上記外部機器との接続が判別されると、上記記録媒体に記録される上記識別情報を上記外部機器に対して送出する第６のステップと、
上記外部機器から受信した、上記識別情報に対応する上記タイトル情報を、上記楽曲データと対応付けて上記記録媒体に記録する第７のステップと
を具えることを特徴とする記録再生装置の記録再生方法。
【請求項１０】
コンピュータに対し、
コンパクトディスクに記録される楽曲データと、上記コンパクトディスクの識別情報とを受信する第１のステップと、
上記第１のステップにより受信した上記楽曲データ及び上記識別情報を対応付けて記録媒体に記録する第２のステップと、
上記楽曲データに対応付けられてタイトル情報が上記記録媒体に記録されている場合、当該タイトル情報を表示する第３のステップと、
上記第３のステップにより表示された上記タイトル情報が選択された場合、当該選択された上記タイトル情報に対応する上記楽曲データを再生処理する第４のステップと、
外部機器との接続を判別する第５のステップと、
上記第５のステップにより上記外部機器との接続が判別されると、上記記録媒体に記録される上記識別情報を上記外部機器に対して送出する第６のステップと、
上記外部機器から受信した、上記識別情報に対応する上記タイトル情報を、上記楽曲データと対応付けて上記記録媒体に記録する第７のステップと
を実行させるための記録再生プログラム。
【請求項１１】
外部機器と接続されたことを検出する第１のステップと、
上記第１のステップにより上記外部機器との接続が検出された場合、上記外部機器の記録媒体に記録されるコンパクトディスクの識別情報を受信すると共に、上記コンパクトディスクの識別情報と当該コンパクトディスクに記録される楽曲データのタイトル情報とを対応付けて記憶するサーバに対して、当該受信した識別情報を送出する第２のステップと、
上記サーバから受信した、上記識別情報に対応する上記タイトル情報を、上記外部機器に送出する第３のステップと
を具えることを特徴とする通信装置の通信方法。
【請求項１２】
コンピュータに対し、
外部機器と接続されたことを検出する第１のステップと、
上記第１のステップにより上記外部機器との接続が検出された場合、上記外部機器の記録媒体に記録されるコンパクトディスクの識別情報を受信すると共に、上記コンパクトディスクの識別情報と当該コンパクトディスクに記録される楽曲データのタイトル情報とを対応付けて記憶するサーバに対して、当該受信した識別情報を送出する第２のステップと、
上記サーバから受信した、上記識別情報に対応する上記タイトル情報を、上記外部機器に送出する第３のステップと
を実行させるための通信プログラム。
【発明の詳細な説明】
【技術分野】
【０００１】
本発明は記録再生装置及び通信装置に関し、例えば、内部に設けられたハードディスクドライブに対して楽曲データを記録し、またユーザの再生操作に応じて当該記録した楽曲データを再生するようになされた携帯記録再生装置に適用して好適なものである。
【背景技術】
【０００２】
近年、内部に設けられたハードディスクドライブに対して楽曲データを記録し、またユーザの再生操作に応じて当該記録した楽曲データを再生するようになされた携帯記録再生装置が普及している。
【０００３】
このような携帯記録再生装置は、内部のハードディスクドライブに楽曲データが記録される際、インターネット等のネットワークに接続可能なパーソナルコンピュータに対して接続される。このパーソナルコンピュータは、ネットワークを介して所定のサーバにアクセスし、このサーバから楽曲データをダウンロードする。そしてこのパーソナルコンピュータは、当該ダウンロードした楽曲データを、接続されている携帯記録再生装置に送出する。この結果、当該ダウンロードした楽曲データが携帯記録再生装置内部のハードディスクドライブに対して記録されるようになされている。
【０００４】
実際上、パーソナルコンピュータによりダウンロードされた楽曲データには、その楽曲データのタイトル情報（曲名情報）も付されているので、携帯記録再生装置内部のハードディスクドライブには、タイトル情報が付された楽曲データが記録される。これによりこの携帯記録再生装置は、内部のハードディスクドライブに記録している楽曲データのタイトル情報を表示部に表示することができる。
【０００５】
そしてこのような携帯記録再生装置は、表示部に表示しているタイトル情報がユーザの操作により選択されると、当該選択されたタイトル情報に対応する楽曲データを、ハードディスクドライブから読み出して再生処理するようになされている。
【０００６】
因みに、楽曲データとそれに対応するタイトル情報とを記録する手法としては、次のようなものが提案されている（例えば特許文献１）。すなわちこの手法では、ＣＤからＭＤに楽曲データをダビングしている際、この楽曲データのタイトル情報を、ネットワークを介して所定サーバから取得し、これを楽曲データと共にＭＤに記録するようになされている。
【特許文献１】特開２００２−２６９９０３公報
【発明の開示】
【発明が解決しようとする課題】
【０００７】
このように、従来の携帯記録再生装置に楽曲データを記録させる場合、ユーザはこの携帯記録再生装置を、ネットワークに接続可能なパーソナルコンピュータに対していちいち接続しなければならない。そのため、パーソナルコンピュータを頻繁に使用しないユーザやパーソナルコンピュータを所有していないユーザ等にとっては、使い勝手が良いとは言い得ない問題があった。
【０００８】
本発明は以上の点を考慮してなされたもので、従来と比べて格段と使い勝手を向上させることができる記録再生装置及び通信装置を提案しようとするものである。
【課題を解決するための手段】
【０００９】
かかる課題を解決するため本発明においては、記録再生装置において、コンパクトディスクに記録される楽曲データと、コンパクトディスクの識別情報とを受信する受信手段と、受信手段により受信した楽曲データ及び識別情報を対応付けて記録媒体に記録する記録手段と、楽曲データに対応付けられてタイトル情報が記録媒体に記録されている場合、当該タイトル情報を表示する表示手段と、表示手段により表示されたタイトル情報を選択する選択手段と、選択手段により選択されたタイトル情報に対応する楽曲データを再生処理する再生手段と、外部機器とデータ通信する通信手段と、通信手段を介して外部機器との接続を判別する判別手段と、判別手段により、通信手段を介した外部機器との接続が判別されると、記録媒体に記録される識別情報を外部機器に対して送出するように通信手段を制御する制御手段とを設け、記録手段は、通信手段を介して受信された識別情報に対応するタイトル情報を、楽曲データと対応付けて記録媒体に記録するようにした。
【００１０】
また本発明においては、通信装置において、外部機器とのデータ通信を行う第１の通信手段と、コンパクトディスクの識別情報と当該コンパクトディスクに記録される楽曲データのタイトル情報とを対応付けて記憶するサーバとのデータ通信を行う第２の通信手段と、第１の通信手段を介して外部機器と接続されたことを検出する接続検出手段と、接続検出手段により外部機器との接続が検出された場合、外部機器の記録媒体に記録されるコンパクトディスクの識別情報を第１の通信手段を介して受信すると共に、当該受信した識別情報を第２の通信手段を介してサーバに送出するように制御する通信制御手段とを設け、通信制御手段は、第２の通信手段を介して受信された識別情報に対応するタイトル情報を第１の通信手段を介して外部機器に送出するように制御するようにした。
【００１１】
この結果この記録再生装置は、パーソナルコンピュータ等を介してネットワークに接続されなくとも、コンパクトディスクからの楽曲データを記録することができる。また外部機器に接続された際には、当該記録した楽曲データのタイトル情報を自動的に取得することができる。
【発明の効果】
【００１２】
本発明によれば、この記録再生装置は、パーソナルコンピュータ等を介してネットワークに接続されなくとも、コンパクトディスクからの楽曲データを記録することができる。また外部機器に接続された際には、当該記録した楽曲データのタイトル情報を自動的に取得することができる。この結果、格段と使い勝手を向上させることができる。
【発明を実施するための最良の形態】
【００１３】
以下図面について、本発明の一実施の形態を詳述する。
【００１４】
（１）第１の実施の形態
図１において、１は全体として楽曲データ記録システムを示し、楽曲データが記録されるためのハードディスクドライブを有する携帯記録再生装置２と、当該携帯記録再生装置２を充電するための充電台３と、インターネット等に相当するネットワークＮＴに接続されたパーソナルコンピュータ４とを有する。
【００１５】
携帯記録再生装置２は、ユーザにより再生操作が行われると、内部のハードディスクドライブに記録されている楽曲データを読み出して再生処理する。その結果、携帯記録再生装置２に接続されているイヤホンを介して音楽が放音される。
【００１６】
またこの携帯記録再生装置２の内部には、当該携帯記録再生装置２を駆動するためのバッテリが設けられている。この携帯記録再生装置２が充電台３に載置されることにより当該充電台３に接続されると、この充電台３は商用電源等を利用してこの携帯記録再生装置２のバッテリを充電する。
【００１７】
またこの充電台３は、ＣＤ（Compact Disc）に記録されている楽曲データを読み出すためのＣＤドライブ部１１を有しており、当該ＣＤドライブ部１１によりＣＤから読み出した楽曲データを、接続されている携帯記録再生装置２のハードディスクドライブに記録（ダビング）するようになされている。
【００１８】
この結果この充電台３によれば、例えば、携帯記録再生装置２のバッテリを充電しながら、当該携帯記録再生装置２のハードディスクドライブに対して、ＣＤに記録されている楽曲データをダビングすることができる。
【００１９】
このようにこの楽曲データ記録システム１においては、ネットワークＮＴに接続されているパーソナルコンピュータ４に対して携帯記録再生装置２を接続しなくても、充電台３を用いることによりＣＤに記録されている楽曲データを携帯記録再生装置２のハードディスクドライブにダビングすることができ、かくして従来よりも格段と使い勝手を向上させることができる。
【００２０】
ところで一般的に、楽曲データが記録されているＣＤには、当該楽曲データのタイトル情報が記録されていない。従って、充電台３を用いることによって、ＣＤから携帯記録再生装置２のハードディスクドライブに楽曲データをダビングした場合、当該ハードディスクドライブにはその楽曲データのタイトル情報が記録されない。
【００２１】
ここで本実施の形態の場合この充電台３は、ＣＤから携帯記録再生装置２のハードディスクドライブに対して楽曲データをダビングする際、このＣＤからＣＤ識別情報も読み出し、これを当該楽曲データと対応付けるようにして携帯記録再生装置２のハードディスクドライブに記録する。
【００２２】
因みにこのＣＤ識別情報は、ＣＤの種類（例えばアルバムタイトル）を識別するための情報であり、同じ種類のＣＤ（つまり記録内容の同じＣＤ）には、同じＣＤ識別情報が記録されている。
【００２３】
この後、携帯記録再生装置２が例えばケーブル等を介してパーソナルコンピュータ４に接続されると、この携帯記録再生装置２はハードディスクドライブに記憶しているＣＤ識別情報を、パーソナルコンピュータ４に対して送出する。このパーソナルコンピュータ４は、携帯記録再生装置２からのＣＤ識別情報を、ネットワークＮＴを介してタイトル情報記憶サーバ５に対して送出する。
【００２４】
ここでこのタイトル情報記憶サーバ５は、例えば、市販されているＣＤに収録されている楽曲データのタイトル情報と、そのＣＤの種類を識別するためのＣＤ識別情報とを対応付けて記憶している。タイトル情報記憶サーバ５は、パーソナルコンピュータ４からＣＤ識別情報を受信すると、当該受信したＣＤ識別情報に対応するタイトル情報を、ネットワークＮＴを介してパーソナルコンピュータ４に対して送出する。
【００２５】
パーソナルコンピュータ４は、タイトル情報記憶サーバ５からタイトル情報を受信すると、当該受信したタイトル情報を、接続されている携帯記録再生装置２に対して送出する。携帯記録再生装置２は、パーソナルコンピュータ４からのタイトル情報を、ダビングされた楽曲データと対応付けてハードディスクドライブに記憶するようになされている。
【００２６】
このようにしてこの携帯記録再生装置２は、タイトル情報記憶サーバ５とネットワークＮＴを介してデータ通信し得るパーソナルコンピュータ４に対して接続されたとき、ハードディスクドライブにダビングされた楽曲データのタイトル情報を、このパーソナルコンピュータ４を介してタイトル情報記憶サーバ５から取得するようになされている。これによりユーザは、当該ダビングした楽曲データのタイトル情報を、操作部等を介していちいち入力しなくて良く、かくして一段と使い勝手を向上させることができる。
【００２７】
ここで、図２を用いて充電台３の回路構成を説明する。この充電台３においては、当該充電台３内の各回路部を制御する制御部１３に対しバス１４を介して、携帯記録再生装置２が接続されるための接続部１５と、ＣＤドライブ部１１と、操作キー等からなる操作部１６と、スピーカ１２とが接続されて構成されている。
【００２８】
充電台３の制御部１３は、接続部１５に対して携帯記録再生装置２が接続されたことを認識すると、商用電源等から得られる電力を、接続部１５を介して携帯記録再生装置２に供給することにより、携帯記録再生装置２のバッテリを充電する。
【００２９】
またユーザにより、楽曲データが記録されているＣＤがＣＤドライブ部１１に挿入され、さらに操作部１６を介してダビング操作が行われると、これに応じて充電台３の制御部１３は、ＣＤドライブ部１１を制御することにより、当該ＣＤから楽曲データ及びＣＤ識別情報を読み出し、当該読み出した楽曲データ及びＣＤ識別情報を、接続部１５を介して携帯記録再生装置２に対して送出する。
【００３０】
因みにこの充電台３の制御部１３は、例えば、携帯記録再生装置２から接続部１５を介して楽曲データが供給されると、当該供給された楽曲データに基づく音楽をスピーカ１２から出力するようにもなされている。
【００３１】
次に、図３を用いて携帯記録再生装置２の回路構成を説明する。この携帯記録再生装置２においては、当該携帯記録再生装置２内の各回路部を制御する制御部２１に対しバス２２を介して、充電台３に接続されるための接続部２３と、パーソナルコンピュータ４とデータ通信するための通信部２４と、楽曲データが記録されるハードディスクドライブ２５と、楽曲データを再生処理するための再生部２６と、液晶ディスプレイ等でなる表示部２７と、操作キー等からなる操作部２８とが接続されて構成されている。
【００３２】
携帯記録再生装置２の制御部２１は、接続先の充電台３から接続部２３を介して、ＣＤから読み出された楽曲データ及びＣＤ識別情報を受信すると、当該受信した楽曲データ及びＣＤ識別情報を対応付けてハードディスクドライブ２５に記憶する。
【００３３】
そして、この携帯記録再生装置２がケーブル等を介してパーソナルコンピュータ４に接続され、その結果通信部２４を介してパーソナルコンピュータ４とデータ通信可能になると、このとき携帯記録再生装置２の制御部２１は、ハードディスクドライブ２５に記憶しているＣＤ識別情報を、通信部２４を介してパーソナルコンピュータ４に対して送出する。
【００３４】
このときパーソナルコンピュータ４は、携帯記録再生装置２からのＣＤ識別情報に対応するタイトル情報をタイトル情報記憶サーバ５から取得し、これを携帯記録再生装置２に対して送出する。
【００３５】
携帯記録再生装置２の制御部２１は、通信部２４を介してパーソナルコンピュータ４からのタイトル情報を受信し、当該受信したタイトル情報をハードディスクドライブ２５に記憶している楽曲データと対応付けて当該ハードディスクドライブ２５に記憶する。
【００３６】
この結果この携帯記録再生装置２の制御部２１は、ハードディスクドライブ２５に記憶している楽曲データのタイトル情報を、表示部２７に表示することができる。
【００３７】
この状態において、例えば、ユーザにより操作部２８を介して表示部２７に表示されているタイトル情報が選択されると、これに応じて携帯記録再生装置２の制御部２１は、当該選択されたタイトル情報に対応する楽曲データをハードディスクドライブ２５から読み出す。
【００３８】
次いでこの携帯記録再生装置２の制御部２１は、当該読み出した楽曲データを再生部２６により再生処理し、得られた再生信号をイヤホン２９に供給する。これにより、この楽曲データに基づく音楽がイヤホン２９を介して出力されるようになされている。
【００３９】
次に、図４を用いてパーソナルコンピュータ４の回路構成を説明する。このパーソナルコンピュータ４においては、当該パーソナルコンピュータ４内の各回路部を制御する制御部３１に対しバス３２を介して、携帯記録再生装置２とデータ通信するための第１通信部３３と、タイトル情報記憶サーバ５とネットワークＮＴを介してデータ通信するための第２通信部３４と、ハードディスクドライブ２５と、液晶ディスプレイ等からなる表示部３６と、キーボード等からなる操作部３７とが接続されて構成されている。
【００４０】
パーソナルコンピュータ４の制御部３１は、携帯記録再生装置２が接続されると、第１通信部３３を介してこの携帯記録再生装置２とデータ通信可能な状態になる。この状態において携帯記録再生装置２からＣＤ識別情報が送出されると、パーソナルコンピュータ４の制御部３１は、当該送出されたＣＤ識別情報を、第１通信部３３を介して受信する。次いでパーソナルコンピュータ４の制御部３１は、当該受信したＣＤ識別情報を、第２通信部３４及びネットワークＮＴを順次介してタイトル情報記憶サーバ５に対して送出する。
【００４１】
このときタイトル情報記憶サーバ５は、パーソナルコンピュータ４からのＣＤ識別情報に対応するタイトル情報を、ネットワークＮＴを介してパーソナルコンピュータ４に対して送出する。
【００４２】
パーソナルコンピュータ４の制御部３１は、第２通信部３４を介してタイトル情報記憶サーバ５からのタイトル情報を受信すると、当該受信したタイトル情報を第１通信部３３を介して携帯記録再生装置２に対して送出するようになされている。
【００４３】
次に、図５に示すシーケンスチャートを用いてタイトル情報取得処理手順ＲＴ１を説明する。
【００４４】
充電台３に対して携帯記録再生装置２が接続される状態になると、このとき充電台３の制御部１３はステップＳＰ１に進み、ユーザによりダビング操作が行われるのを待ち受ける。
【００４５】
やがてユーザにより充電台３の操作部１６を介してダビング操作が行われると、これに応じて充電台３の制御部１３は次のステップＳＰ２に進み、ＣＤドライブ部１１を制御することによりＣＤから読み出した楽曲データを携帯記録再生装置２に対して送出する。続いて充電台３の制御部１３はステップＳＰ３に進んで、このＣＤから読み出したＣＤ識別情報を携帯記録再生装置２に対して送出する。
【００４６】
このとき携帯記録再生装置２の制御部２１はステップＳＰ１１に進んで、充電台３からの楽曲データを受信し、これをハードディスクドライブ２５に記憶すると共に、続くステップＳＰ１２に進んで、充電台３からのＣＤ識別情報を受信し、これをかかる楽曲データと対応付けてハードディスクドライブ２５に記憶する。
【００４７】
このようにしてこの携帯記録再生装置２のハードディスクドライブ２５に対し、ＣＤに記録されている楽曲データがダビングされると共に、当該ＣＤのＣＤ識別情報が記録されるようになされている。
【００４８】
ところでパーソナルコンピュータ４の制御部３１はステップＳＰ２１において、携帯記録再生装置２がケーブル等を介して接続されたか否かを判定しており、携帯記録再生装置２が接続されたことを認識した場合には、当該接続された携帯記録再生装置２からＣＤ識別情報が送出されるのを待ち受けるようになされている。
【００４９】
一方、携帯記録再生装置２の制御部２１もステップＳＰ１３において、パーソナルコンピュータ４に接続されたか否かを判定しており、パーソナルコンピュータ４に接続されたことを認識した場合には、次のステップＳＰ１４に進む。
【００５０】
そしてこのステップＳＰ１４において携帯記録再生装置２の制御部２１は、かかる楽曲データと対応付けてハードディスクドライブ２５に記憶しているＣＤ識別情報を、当該ＣＤ識別情報を待ち受けているパーソナルコンピュータ４に対して送出する。
【００５１】
これに応じてパーソナルコンピュータ４の制御部３１は次のステップＳＰ２２に進み、携帯記録再生装置２からのＣＤ識別情報を受信する。
【００５２】
次いでパーソナルコンピュータ４の制御部３１はステップＳＰ２３に進み、当該受信したＣＤ識別情報に対応するタイトル情報を、ネットワークＮＴを介してタイトル情報記憶サーバ５から取得する。続いてパーソナルコンピュータ４の制御部３１はステップＳＰ２４に進み、当該取得したタイトル情報を携帯記録再生装置２に対して送出する。
【００５３】
このとき携帯記録再生装置２の制御部２１はステップＳＰ１５に進み、パーソナルコンピュータ４からのタイトル情報を受信する。そして携帯記録再生装置２の制御部２１は、当該受信したタイトル情報を、かかる楽曲データと対応付けてハードディスクドライブ２５に記憶するようになされている。
【００５４】
以上の構成において、この楽曲データ記録システム１においては、ＣＤから読み出した楽曲データを携帯記録再生装置２のハードディスクドライブ２５にダビングする充電台３を設けるようにした。
【００５５】
これによりこの楽曲データ記録システム１によれば、ネットワークＮＴに接続されているパーソナルコンピュータ４に対して携帯記録再生装置２を接続しなくても、充電台３を用いることによりＣＤから携帯記録再生装置２のハードディスクドライブ２５に対して楽曲データをダビングすることができるので、パーソナルコンピュータ４を頻繁に使用しないユーザ等に対してもその使い勝手を格段と向上させることができる。
【００５６】
またこの充電台３は、ＣＤから携帯記録再生装置２のハードディスクドライブ２５に対して楽曲データをダビングする際、このＣＤの種類を識別するためのＣＤ識別情報を当該楽曲データと対応付けてハードディスクドライブ２５に記録する。
【００５７】
これによりこの携帯記録再生装置２は、タイトル情報記憶サーバ５とネットワークＮＴを介してデータ通信し得るパーソナルコンピュータ４に対して接続されたとき、ハードディスクドライブ２５に記録されたＣＤ識別情報に基づいて、ハードディスクドライブ２５にダビングされた楽曲データのタイトル情報を、タイトル情報記憶サーバ５から取得することができる。
【００５８】
これによりユーザは、当該ダビングした楽曲データのタイトル情報を、操作部２８等を介していちいち入力しなくて良く、かくして一段と使い勝手を向上させることができる。
【００５９】
以上の構成によれば、ネットワークＮＴに接続されているパーソナルコンピュータ４に対して携帯記録再生装置２を接続しなくても、充電台３を用いることによりＣＤから携帯記録再生装置２のハードディスクドライブ２５に対して楽曲データをダビングすることができるので、従来よりも格段と使い勝手を向上させることができる。また、携帯記録再生装置２がパーソナルコンピュータ４に接続された際には、当該ダビングされた楽曲データのタイトル情報が自動的に入力されるので、ユーザは当該ダビングした楽曲データのタイトル情報を、操作部２８等を介していちいち入力しなくて良く、かくして一段と使い勝手を向上させることができる。
【００６０】
（２）第２の実施の形態
この第２の実施の形態においては、充電台３や携帯記録再生装置２やパーソナルコンピュータ４等の構成は第１の実施の形態と同様である。従ってここでは、図６（図５との対応部分に同一符号を付す）のシーケンスチャートを用いてタイトル情報取得処理手順ＲＴ１Ｘを中心に説明する。
【００６１】
充電台３に対して携帯記録再生装置２が接続される状態になると、このとき充電台３の制御部１３はステップＳＰ１に進み、ユーザによりダビング操作が行われるのを待ち受ける。
【００６２】
やがてユーザにより充電台３の操作部１６を介してダビング操作が行われると、これに応じて充電台３の制御部１３は次のステップＳＰ２に進み、ＣＤドライブ部１１を制御することによりＣＤから読み出した楽曲データを携帯記録再生装置２に対して送出し、続いてステップＳＰ３Ｘに進んで、このＣＤから読み出したＴＯＣ（Table Of Contents）情報を携帯記録再生装置２に対して送出する。
【００６３】
このとき携帯記録再生装置２の制御部２１はステップＳＰ１１に進んで、充電台３からの楽曲データを受信し、これをハードディスクドライブ２５に記憶すると共に、続くステップＳＰ１２Ｘに進んで、充電台３からのＴＯＣ情報を受信し、これもかかる楽曲データと対応付けてハードディスクドライブ２５に記憶する。
【００６４】
次いで携帯記録再生装置２の制御部２１はステップＳＰ１２Ｙに進み、かかる楽曲データと対応付けてハードディスクドライブ２５に記憶しているＴＯＣ情報に基づいて、当該楽曲データが記録されていたＣＤの種類を識別するためのＣＤ識別情報を生成する。そして携帯記録再生装置２の制御部２１は、当該生成したＣＤ識別情報をかかる楽曲データと対応付けてハードディスクドライブ２５に記憶し、続くステップＳＰ１３に移る。
【００６５】
ここでＣＤ識別情報の生成について説明する。ＴＯＣ情報には、そのＣＤに記録されている楽曲データの数（トラック数）や、記録されている各楽曲データの再生時間等が示されている。ここで一般的に市販されているＣＤにおいては、その種類（例えばアルバムタイトル）ごとに記録内容が異なるので、ＴＯＣ情報はそのＣＤの種類ごとに一意なものとなる。これにより携帯記録再生装置２の制御部２１は、楽曲データと対応付けてハードディスクドライブ２５に記憶しているＴＯＣ情報に基づいて、この楽曲データが記録されていたＣＤの種類を識別するためのＣＤ識別情報を生成することができる。因みにこれに限らず、このＴＯＣ情報をそのままＣＤ識別情報としても良い。
【００６６】
ところでパーソナルコンピュータ４の制御部３１はステップＳＰ２１において、携帯記録再生装置２がケーブル等を介して接続されたか否かを判定しており、携帯記録再生装置２が接続されたことを認識した場合には、当該接続された携帯記録再生装置２からＣＤ識別情報が送出されるのを待ち受けるようになされている。
【００６７】
一方、携帯記録再生装置２の制御部２１もステップＳＰ１３において、パーソナルコンピュータ４に接続されたか否かを判定しており、パーソナルコンピュータ４に接続されたことを認識した場合には、次のステップＳＰ１４に進む。
【００６８】
そしてこのステップＳＰ１４において携帯記録再生装置２の制御部２１は、かかる楽曲データと対応付けてハードディスクドライブ２５に記憶しているＣＤ識別情報を、当該ＣＤ識別情報を待ち受けているパーソナルコンピュータ４に対して送出する。
【００６９】
これに応じてパーソナルコンピュータ４の制御部３１は次のステップＳＰ２２に進み、携帯記録再生装置２からのＣＤ識別情報を受信する。
【００７０】
次いでパーソナルコンピュータ４の制御部３１はステップＳＰ２３に進み、当該受信したＣＤ識別情報に対応するタイトル情報を、ネットワークＮＴを介してタイトル情報記憶サーバ５から取得する。続いてパーソナルコンピュータ４の制御部３１はステップＳＰ２４に進み、当該取得したタイトル情報を携帯記録再生装置２に対して送出する。
【００７１】
このとき携帯記録再生装置２の制御部２１はステップＳＰ１５に進み、パーソナルコンピュータ４からのタイトル情報を受信する。次いで携帯記録再生装置２の制御部２１は、当該受信したタイトル情報を、かかる楽曲データと対応付けてハードディスクドライブ２５に記憶する。そして携帯記録再生装置２の制御部２１は続くステップＳＰ１６Ｘに進み、当該楽曲データと対応付けてハードディスクドライブ２５に記憶していたＣＤ識別情報を消去するようになされている。
【００７２】
このようにしてこの携帯記録再生装置２は、楽曲データのタイトル情報を１度取得すると、当該楽曲データと対応付けてハードディスクドライブ２５に記憶していたＣＤ識別情報を消去するようになされている。これにより、この携帯記録再生装置２がパーソナルコンピュータ４に再び接続された際、当該楽曲データのタイトル情報を再度取得してしまうことを防止することができる。
【００７３】
（３）他の実施の形態
なお上述の第１及び第２の実施の形態においては、楽曲データを記録再生する記録再生装置として、ユーザにより携帯されて使用される携帯記録再生装置２を適用する場合について述べたが、本発明はこれに限らず、楽曲データを記録再生することができれば、ＰＤＡ（Personal Digital Assistance）や携帯電話機等のこの他種々の記録再生装置を適用しても良い。
【００７４】
また上述の第１及び第２の実施の形態においては、コンパクトディスク（ＣＤ）に記録される楽曲データと、当該コンパクトディスクの識別情報（ＣＤ識別情報）とを受信する受信手段として、携帯記録再生装置２の接続部２３を適用する場合について述べたが、本発明はこれに限らず、この他種々の構成を適用することができる。
【００７５】
さらに上述の第１及び第２の実施の形態においては、楽曲データ及び識別情報（ＣＤ識別情報）が対応付けて記録される記録媒体として、携帯記録再生装置２のハードディスクドライブ２５を適用する場合について述べたが、本発明はこれに限らず、半導体メモリやＭＤ（Mini Disc）等のこの他種々の記録媒体を適用するようにしても良い。
【００７６】
さらに上述の第１及び第２の実施の形態においては、タイトル情報を表示する表示手段として、携帯記録再生装置２の表示部２７を適用し、当該タイトル情報を選択する選択手段として、携帯記録再生装置２の操作部２８を適用し、楽曲データを再生処理する再生手段として、携帯記録再生装置２の再生部２６を適用する場合について述べたが、本発明はこれに限らずこの他種々の構成を適用することができる。
【００７７】
さらに上述の第１及び第２の実施の形態においては、携帯記録再生装置２の通信部２４（通信手段）が、パーソナルコンピュータ４とデータ通信する場合について述べたが、本発明はこれに限らず、携帯記録再生装置２の通信部２４が、有線や無線等を介してタイトル情報記憶サーバ５と直接データ通信するようにしても良い。このようにすればこの携帯記録再生装置２は、タイトル情報記憶サーバ５からタイトル情報を直接取得することができる。
【００７８】
さらに上述の第１及び第２の実施の形態においては、外部機器（パーソナルコンピュータ４又はタイトル情報記憶サーバ５）との接続を判別する判別手段、識別情報（ＣＤ識別情報）を外部機器に対して送出するように通信手段を制御する制御手段として、ＣＰＵ（Central Processing Unit）等に相当する制御部２１を適用する場合について述べたが、本発明はこれに限らずこの他種々の構成を適用することができる。
【００７９】
さらに上述の第１及び第２の実施の形態においては、外部機器（携帯記録再生装置２）及びサーバ（タイトル情報記憶サーバ５）とデータ通信する通信装置として、パーソナルコンピュータ４を適用する場合について述べたが、本発明はこれに限らず、外部機器（携帯記録再生装置２）及びサーバ（タイトル情報記憶サーバ５）とデータ通信することができれば、この他種々の通信装置を適用することができる。
【００８０】
さらに上述の第１及び第２の実施の形態においては、外部機器（携帯記録再生装置２）とのデータ通信を行う第１の通信手段として、パーソナルコンピュータ４の第１通信部３３を適用し、サーバ（タイトル情報記憶サーバ５）とのデータ通信を行う第２の通信手段として、パーソナルコンピュータ４の第２通信部３４を適用する場合について述べたが、本発明はこれに限らずこの他種々の構成を適用することができる。
【００８１】
さらに上述の第１及び第２の実施の形態においては、外部機器（携帯記録再生装置２）と接続されたことを検出する接続検出手段、コンパクトディスクの識別情報を第１の通信手段を介して受信すると共に当該受信した識別情報を第２の通信手段を介してサーバ（タイトル情報記憶サーバ５）に送出するように制御する通信制御手段として、パーソナルコンピュータ４の制御部３１を適用する場合について述べたが、本発明はこれに限らずこの他種々の構成を適用することができる。
【００８２】
さらに上述の第１及び第２の実施の形態において、充電台３の制御部１３は、充電台３内の各回路部を制御することにより、タイトル情報取得処理手順ＲＴ１、ＲＴ１Ｘをハードウェア的に実行する場合について述べたが、本発明はこれに限らず、例えば充電台３の制御部１３は、インストールされたプログラムに従って、タイトル情報取得処理手順ＲＴ１、ＲＴ１Ｘをソフトウェア的に実行するようにしても良い。また携帯記録再生装置２の制御部２１も、インストールされたプログラムに従って、タイトル情報取得処理手順ＲＴ１、ＲＴ１Ｘをソフトウェア的に実行するようにしても良い。またパーソナルコンピュータ４の制御部３１も、インストールされたプログラムに従って、タイトル情報取得処理手順ＲＴ１、ＲＴ１Ｘをソフトウェア的に実行するようにしても良い。
【００８３】
また上述の第２の実施の形態における携帯記録再生装置２は、ステップＳＰ１６Ｘにおいて、楽曲データと対応付けてハードディスクドライブ２５に記憶していたＣＤ識別情報を消去するようになされているが、これに代えて、例えば、当該ＣＤ識別情報を用いて既にタイトル情報を取得した旨を示すフラグ（以下、これをタイトル情報取得済フラグと呼ぶ）をハードディスクドライブ２５等に記憶するようにしても良い。この場合この携帯記録再生装置２は、パーソナルコンピュータ４に再度接続された際、記憶しているタイトル情報取得済フラグに基づいて、当該ＣＤ識別情報を用いてタイトル情報を既に取得したことを認識することができ、かくしてこのタイトル情報を再度取得してしまうことを回避することができる。
【産業上の利用可能性】
【００８４】
本発明は、内部に設けられたハードディスクドライブに対して楽曲データを記録し、またユーザの再生操作に応じて当該記録した楽曲データを再生するようになされた携帯記録再生装置等に利用することができる。
【図面の簡単な説明】
【００８５】
【図１】本実施の形態における楽曲データ記録システムの構成を示す略線図である。
【図２】充電台の回路構成を示す略線図である。
【図３】携帯記録再生装置の回路構成を示す略線図である。
【図４】パーソナルコンピュータの回路構成を示す略線図である。
【図５】タイトル情報取得処理手順（１）を示す略線図である。
【図６】タイトル情報取得処理手順（２）を示す略線図である。
【符号の説明】
【００８６】
１……楽曲データ記録システム、２……携帯記録再生装置、３……充電台、４……パーソナルコンピュータ、５……タイトル情報記憶サーバ、ＲＴ１、ＲＴ１Ｘ……タイトル情報取得処理手順。
【図１】
2006053958.tif 000003
【図２】
2006053958.tif 000004
【図３】
2006053958.tif 000005
【図４】
2006053958.tif 000006
【図５】
2006053958.tif 000007
【図６】
2006053958.tif 000008